(57)【要約】骨固定装置を挿入する工具が提供される。工具は、一般的に、各々が近位端と遠位端と長手方向軸とを有する、細長い外側ボディと細長い内側ボディとを含んでいる。工具は、通常、外側ボディの遠位部に、骨固定装置の近位ピンを受入れるピン受け部を含んでいる。工具は、各々のピボット軸で内側部材にピボット運動可能に取り付けられ、各々が把持部を有する第１および第２のレバーをさらに含んでいる。レバーは、好ましくは、指当接部とワイヤ把持部とを含み、好ましくは、外側ボディに対して軸方向に移動可能にされている。レバーは、一般的に、指当接部に外側ボディに対して近位方向への力をかけたときに、両ワイヤ把持部の間に置かれた骨固定装置のガイドワイヤを把持して近位方向に引っ張ることができるように、ピン係合部が閉じて近位方向に動くようにされている。
2006519087.tif 000002
【特許請求の範囲】
【請求項１】
第１の骨片を第２の骨片に固定する方法であって、
横方向に移動可能な少なくとも１つの遠位アンカーと、ルーメンとを有するピンであって、該ルーメンが該ピンを貫通して延びているピンを設けるステップと、
前記遠位アンカーを、必要に応じて横方向内側に動ける状態で、前記第１の骨片を通って前記第２の骨片内に進めるステップと、
前記ルーメンを通って軸方向に延びるワイヤの近位部を、取付け工具で把持するステップと、
前記ワイヤを、該ワイヤの遠位部が前記遠位アンカーの半径方向内側へのたわみ変形に抵抗するように、前記取付け工具によって、前記ルーメンを通して軸方向に動かし、それによって前記遠位アンカーを横方向内側に動けないようにするステップと、
を有する方法。
【請求項２】
前記ワイヤを前記取付け工具によって前記ルーメンを通  して軸方向に動かす前記のステップは、該取付け工具の第１のボディを該取付け工具の第２のボディに対して相対移動させることを含んでいる、請求項１に記載の第１の骨片を第２の骨片に固定する方法。
【請求項３】
前記取付け工具の前記第１のボディを該取付け工具の前記第２のボディに対して相対移動させる前記のステップは、一方向ラチェット型の動きを含んでいる、請求項２に記載の第１の骨片を第２の骨片に固定する方法。
【請求項４】
ワイヤの近位部を取付け工具で把持する前記のステップは、一対のレバーアームの各端部を互いに近づく方向へ動かすことを含んでいる、請求項２に記載の第１の骨片を第２の骨片に固定する方法。
【請求項５】
一対のレバーアームの各端部を互いに近づける方向へ動かす前記のステップは、該一対のレバーアームの反対側の端部に近位方向への力をかけることを含んでいる、請求項４に記載の第１の骨片を第２の骨片に固定する方法。
【請求項６】
前記近位方向への力は、前記取付け工具を保持する手の複数の指によってかけられる、請求項５に記載の第１の骨片を第２の骨片に固定する方法。
【請求項７】
前記取付け工具の前記第１および第２のボディは、少なくとも、前記近位方向への力をかける前記複数の指の間を延びている、請求項６に記載の第１の骨片を第２の骨片に固定する方法。
【請求項８】
前記取付け工具を保持する掌は、前記第２のボディの近位方向への前記第１のボディに対する相対移動を防止する、請求項７に記載の第１の骨片を第２の骨片に固定する方法。
【請求項９】
ワイヤの近位部を取付け工具で把持する前記のステップは、一対のレバーアームの各端部を互いに近づく方向へ動かすことを含んでいる、請求項１に記載の第１の骨片を第２の骨片に固定する方法。
【請求項１０】
一対のレバーアームの各端部を互いに近づく方向へ動かす前記ステップは、前記一対のレバーアームの反対側の端部に近位方向への力をかけることを含んでいる、請求項９に記載の第１の骨片を第２の骨片に固定する方法。
【請求項１１】
前記遠位アンカーが前記第１の骨片を通って前記第２の骨片内に進められる前に、前記取付け工具を前記ピンに連結するステップをさらに含んでいる、請求項１に記載の第１の骨片を第２の骨片に固定する方法。
【請求項１２】
前記遠位アンカーは、前記第１の骨片および前記第２の骨片を完全に通過するように進められる、請求項１に記載の第１の骨片を第２の骨片に固定する方法。
【請求項１３】
骨固定装置を挿入する工具であって、
近位端と、遠位端と、長手方向軸とを有する細長い外側ボディと、
近位端と、遠位端と、長手方向軸とを有し、前記外側ボディに対して軸方向に移動可能な細長い内側ボディと、
前記外側ボディの前記遠位端に設けられ、骨固定装置の近位ピンに取外し可能に係合するピン受入れ部と、
第１のピボット軸で前記内側部材にピボット運動可能に取り付けられた第１のレバーと、
第２のピボット軸で前記内側部材にピボット運動可能に取り付けられた第２のレバーと、
を有し、
前記第１および第２のレバーはそれぞれ、前記骨固定装置の前記近位ピンを貫通して延びるワイヤを把持する把持部を有している、
骨固定装置を挿入する工具。
【請求項１４】
前記第１および第２のレバーの前記把持部は、前記第１および第２の軸よりも近位側に設けられている、請求項１３に記載の工具。
【請求項１５】
前記第１の軸および前記第２の軸は、前記外側ボディの前記長手方向軸に垂直な線に沿って配置されている、請求項１４に記載の工具。
【請求項１６】
前記外側ボディと前記内側ボディは実質的に同心に設けられている、請求項１３に記載の工具。
【請求項１７】
前記工具は、前記第１および第２のレバーが近位方向に前記外側ボディに対して相対移動したときに、前記第１および第２のレバーの前記把持部が互いに近づく方向に動くようにされている、請求項１３に記載の工具。
【請求項１８】
前記内側ボディを遠位方向に前記外側ボディに対して偏位させるようにされたばねをさらに有している、請求項１３に記載の工具。
【請求項１９】
前記ピン受入れ部は、ピンを把持するアームを有している、請求項１３に記載の工具。
【請求項２０】
前記取付け工具は、前記内側ボディの近位方向への前記外側ボディに対する相対移動を許容するが、前記内側ボディの遠位方向への前記外側ボディに対する相対移動に抵抗する、相補的な保持構造をさらに有している、請求項１３に記載の工具。
【請求項２１】
前記相補的な保持構造は、前記内側ボディの近位方向への前記外側ボディに対するラチェット式の相対移動を許容する、一連の溝および山を有している、請求項２０に記載の工具。
【請求項２２】
前記相補的な保持構造が前記内側ボディの遠位方向への前記外側ボディに対する相対移動に抵抗しないように、該相補的な保持構造を解放する解放ボタンをさらに有している、請求項２０に記載の工具。
【請求項２３】
遠位アンカーを含むピンと、該ピンを通って延び、該遠位アンカーを広げられた形状で固定するようにされたロックワイヤとを少なくとも有する骨固定装置と共に使用される工具であって、
近位端と遠位端とを有するボディと、
前記骨固定装置の前記ロックワイヤを把持するようにされ、少なくとも１つの指把持部を有し、前記ボディに対して移動可能である把持装置と、
前記ボディの前記遠位端に設けられ、前記ピンの近位方向への前記骨固定装置の前記ロックワイヤに対する相対移動を防止するようにされたピン係合部と、
を有し、
前記工具は、前記指把持部に近位方向への力をかけ、前記ボディに遠位方向への力をかけたときに、前記骨固定装置の前記ガイドワイヤが把持され、前記骨固定装置の前記ピンに対して近位方向に引き込まれるようにされている工具。
【請求項２４】
前記ピン係合部は、骨固定装置の近位ピンを取外し可能に受入れるようにされている、請求項２３に記載の工具。
【請求項２５】
前記指把持部の近位方向への前記ボディに対する相対移動を許容し、かつ遠位方向への前記ボディに対する相対移動に抵抗するようにされたラチェット機構をさらに有している、請求項２３に記載の工具。
【請求項２６】
前記指把持部の遠位方向への前記ボディに対する相対移動を許容するように、前記ラチェット機構を解放するようにされた解放機構をさらに有している、請求項２５に記載の工具。
【発明の詳細な説明】
【技術分野】
【０００１】
関連出願
本出願は、２００３年１０月１４日に発行された米国特許第６，６３２，２２４号の継続出願である、２００３年５月１６日に出願された米国特許出願第１０／４４０，０１６号の一部継続出願であり、２００３年２月２８日に出願された米国特許仮出願第６０／４５１，３２０号、および２００３年４月２１日に出願された米国特許仮出願第６０／４６４，３９９号の合衆国法典３５巻第１１９条（ｅ）に基づく優先権の利益を主張する。これらの仮出願は、その全体が引用によって本明細書に組み込まれる。
背景
発明の分野
本発明は、一般的には骨固定装置の分野に関し、特に骨固定装置用の挿入工具に関する。
【背景技術】
【０００２】
関連技術の説明
事故によって、または外科手術によって切断された、骨折した骨は、切断された各部を再石灰化させ結合させるために、長期間にわたってつないでおかなければならない。したがって、切断され、または骨折した骨の互いに隣接する部分は、通常、再接合された部分に打ち込まれるピンまたはねじによって、互いに固定され、または付着させらせる。そして、治癒を促進し、身体の活動時に各骨片を分離させる可能性のある機械的応力を無くすため、ギプス、ブレース、添え木、または他の従来の技術を用いるなどして、体の関連する部分の動きを最小限に抑えることができる。
【０００３】
ピン状の装置によって２つ以上の骨片を付着させる外科処理では、骨を囲む組織を切開し、連結すべき各骨片を貫く穴をあける必要がある。骨の大きさ、構成、および荷重要求が著しく異なるため、従来技術では様々な骨固定装置が開発されてきた。一般に、現在の治療水準は、治癒の過程で骨折片を安定化させるための様々な金属ワイヤ、ねじ、およびクランプに依存している。骨の十分な治癒期間の後には、骨固定装置を取り除けるように、経皮的に接近可能な部位または他の部位を再び開く必要がある。
【０００４】
ヒトの骨格では、長い骨の骨折が最も一般的である。このような骨折部の多くと、小さい骨の骨折部および小さな骨折片は、良好な解剖学的位置、早期の可動化、および負傷した患者の早期かつ完全なリハビリテーションを実現するために、内部および外部固定装置によって治療しなければならない。
【０００５】
現在一般に使用されている内部固定技術は、多くの場合、キルシュナー(Kirschner)ワイヤ（Ｋ−ワイヤ）、髄内ピン、ワイヤリング、プレート、ねじ、およびこれらの組合せの使用に依存している。最も簡単な手術手順で、かつ外部から移植される安定材の使用量を最小限に抑えて、傷ついた骨の最良の解剖学的および機能的状態を実現するように、特定の装置または装置の組合せが選択される。当技術分野では、たとえば、リーズ(Reese)の米国特許第４，６８８，５６１号、ローゼンバーグ(Rosenberg)の米国特許第４，７９０，３０４号、リーズ等の米国特許第５，３７０，６４６号などに記載された他の様々な骨固定装置も知られている。
【発明の開示】
【発明が解決しようとする課題】
【０００６】
骨折部をせん断力に対して安定化させるためにＫ−ワイヤが広く使用されているが、Ｋ−ワイヤによる固定は、いくつかの公知の危険を伴う。たとえば、完全に治癒した後で装置を取り外すために、２回目の外科的処置が必要になる。装置の取外しが推奨される理由は、そのようにしないと、インプラントに隣接する骨が、金属と骨との弾性率および密度の差の結果、応力を受けない状態(stress shielding)になりやすいからである。
【０００７】
さらに、移植されたＫ−ワイヤは、ピン路(pin-tract)感染から、膿瘍、抵抗性骨髄炎、敗血性関節炎、および感染性(infected)癒着不能に至る、様々な合併症部位を生じさせる可能性がある。
【０００８】
Ｋ−ワイヤの使用に伴う他の考えられる合併症は、生体内移動である。Ｋ−ワイヤの軸方向移動範囲は０ｍｍから２０ｍｍであると報告されており、ピンの取外しをより困難にすると共に、隣接する組織に外傷を与える可能性がある。
【０００９】
Ｋ−ワイヤは、従来の方法で手足の骨損傷に用いられる場合、皮膚を貫通する。経皮的に延びるＫ−ワイヤは、望ましくない外観を呈するだけでなく、Ｋ−ワイヤが外部の物体に接触したときに、切れたり、腱などの隣接構造に損傷を与えたりする恐れがある。
【００１０】
従来技術において様々な骨留め具が開発されているが、それでもなお、取付け時にもその後の骨治癒時にも周囲の組織への外傷を最小限に抑えつつ、せん断力に対する安定化を図ることのできるタイプの骨留め具が依然として必要とされている。
【００１１】
さらに、取付時に周囲の組織への外傷を最小限に抑えつつ骨固定装置を挿入し固定する、単純で使いやすい工具も依存として必要とされている。
【課題を解決するための手段】
【００１２】
概要
したがって、一実施態様では、第１の骨片を第２の骨片に固定する方法は、横方向に移動可能な少なくとも１つの遠位アンカーと、ルーメンとを有するピンであって、ルーメンがピンを貫通して延びているピンを設けるステップを有している。遠位アンカーは、必要に応じて横方向内側に動ける状態で、第１の骨片を通って第２の骨片内に挿入される。取付け工具は、ルーメンを通って軸方向に延びるワイヤの近位部を把持する。取付け工具は、ワイヤを、ワイヤの遠位部が遠位アンカーの半径方向内側へのたわみ変形に抵抗するように、ルーメンを通して軸方向に動かし、それによって遠位アンカーを横方向内側に動けないようにする。
【００１３】
他の実施態様では、骨固定装置を挿入する工具が提供される。工具は、各々が近位端と遠位端と長手方向軸とを有する、外側ボディと内側ボディとを含んでいる。工具はまた、外側ボディの遠位部に、骨固定装置の近位ピンを受入れるピン受入れ部を含んでいる。工具は、各々のピボット軸で内側部材にピボット運動可能に取り付けられ、各々が把持部を有する、第１および第２のレバーをさらに含んでいる。
【００１４】
他の実施態様では、近位端と遠位端とを備えたボディを有する工具が提供される。工具は、少なくとも１つの指把持部と、ボディの遠位端に設けられたピン把持部とをさらに含んでいる。工具は、少なくとも１つの指把持部が近位方向に移動することによって、骨固定装置のガイドワイヤが把持され、近位方向に、骨固定装置のピンに対して相対移動させられるようにされている。
【００１５】
骨固定装置を設置する工具の他の実施態様では、工具は、長手方向に延びる管状の外側ボディを有し、外側ボディは、近位端と、遠位端と、外側ボディに設けられた少なくとも１つの長手方向に延びる長穴とを有している。工具はまた、外側ボディ内に滑動可能かつ同心に配置された、長手方向に延びる内側ボディと、内側ボディの遠位部にピボット運動可能に取り付けられた少なくとも１つのレバーとを含んでいる。レバーは、好ましくは、指当接部とワイヤ把持部とを含み、好ましくは、長穴内を軸方向に移動可能にされている。レバーは、好ましくは、指当接部に外側ボディに対して近位方向への力をかけたときに、ピン係合部が閉じて近位方向に動くようにされている。
【００１６】
他の実施態様では、骨固定装置と挿入工具とを含む骨固定システムが開示される。骨固定装置は、近位端と遠位端と長手方向軸とを持つ、第１の細長い管状のボディを有している。遠位アンカーが固定装置に設けられており、骨に設けられた穴内を遠位方向に挿入可能な低い形状から、穴を通る近位方向への移動に抵抗する傾斜した向きに動くことができる。細長いピンが、管状のボディ内を軸方向に移動可能であり、ピンが近位方向に管状のボディに対して引き込まれると、遠位アンカーが軸方向を向いた向きから傾斜した向きに進められるように、アンカーに関連付けされている。装置はまた、近位端と遠位端と長手方向軸とを有する第２の細長い管状のボディを含んでいる。少なくとも１つの保持構造が、第２の細長い管状のボディと細長いピンとの間に設けられている。保持構造は、細長いピンの近位方向への第２の細長い管状のボディに対する相対移動を許容するが、ピンの遠位方向への第２の細長い管状のボディに対する相対移動に抵抗する。第１の管状のボディを用いて遠位アンカーを設置することができ、次に第１の管状のボディが取り外され、第２の管状のボディに交換されてもよい。第２の管状のボディは、骨を圧縮するようにピンと協働する。システムはまた、近位端と遠位端と中心軸とを備えた細長いボディを有する挿入装置を含んでいる。挿入装置はまた、ボディに対してピボット運動可能かつ軸方向に移動可能にされた一対のレバーを含んでいる。レバーは、好ましくは、指当接部とピン係合部とを有している。挿入装置は、好ましくは、指当接部に力がかけられたときに、レバーが固定装置のピンと係合し、ピンを近位方向に引き込むようにされている。
【００１７】
本発明、および従来技術に対して実現される利点について概略的に説明するために、本発明のいくつかの目的および利点について上述した。もちろん、本発明の特定の実施態様によっては、これらのすべての目的や利点が実現されるとは限らないことを理解されたい。したがって、たとえば、当業者には、本明細書で教示される一つの利点または一群の利点を、本明細書で教示または示唆される他の目的または利点を必ずしも実現せずに実現または最適化するように、本発明を具体化または実施できることが認識されよう。
【００１８】
これらのすべての実施態様は、本明細書に開示される本発明の範囲内であることが意図されている。開示されるいずれかの特定の好ましい実施形態に制限されない本発明の、これらのおよびその他の実施態様は、添付の図を参照する好ましい実施形態についての以下の詳細な説明から、当業者には容易に明らかになろう。
【００１９】
本発明の一般的な特質について概略的に説明したが、本発明のいくつかの好ましい実施形態およびそれらの修正実施形態は、以下の図を参照する本明細書の詳細な説明から、当業者に明らかとなろう。
【発明を実施するための最良の形態】
【００２０】
詳細な説明
図１の簡略化された骨折部に関連して、様々な実施形態の適用例が開示されるが、本明細書に開示される方法および構造は、当業者には本明細書の開示に照らして明らかとなろうが、様々な骨および骨折のいずれにも適用されることが意図されている。本発明の骨固定装置は、たとえば、指節間および中手指節の関節固定術、指骨および中手骨の横骨折固定術、指骨および中手骨のらせん骨折固定術、指骨および中手骨の斜骨折固定術、指骨および中手骨の顆間骨折固定術、指骨および中手骨の骨切り固定術、さらには当技術分野で公知の他の骨切り術や固定術など、手の様々な骨折および骨切り術に適用可能である。本発明の骨固定装置を用いて、指骨および中足骨の様々な骨切り術や、足の様々な骨折部を安定させることができる。これには、特に、オースティンおよびレバルディン・レアド(Reverdin-Laird)によって発表されたような遠位骨幹端骨切り術、ベースウェッジ骨切り術、斜め骨幹骨切り術、デジタル関節固定術その他、当業者に公知の他の様々な骨切り術が含まれる。踵骨や距骨などの足根骨の骨折、骨切り術、および関節固定術に対処することもできる。カラーに取り付けられ、またはカラーの下方を自由に移動できるスパイク付き座金を使用することができる。骨固定装置は、すべてが永久的もしくは吸収可能であるかまたは永久的なものと吸収可能なものとが混在しているプレートまたは座金と共に、またはこれらを使わずに用いることができる。
【００２１】
腓骨および脛骨果の骨折、パイロン（pilon）骨折、および脚の骨の他の骨折を固定し安定させることができる。固定装置はプレートを使用してもしなくてもよく、吸収可能なタイプでも吸収不能なタイプでもよく、開示された他の実施形態を用いてもよい。一例として、半径方向および軸方向に延びる圧縮装置による内果剥離骨折固定が挙げられる。上記の各々は、本発明に従い、本明細書に開示される固定装置の１つを、骨折部を固定するために、第１の骨要素内を通って、骨折部を横切り、第２の骨要素内まで前進させることによって処置することができる。
【００２２】
開示される実施形態の説明を助けるため、上向き、上部、下向き、下部、垂直、水平、内側、外側、近位、遠位などの用語が、添付の図面を説明するために用いられる。本明細書で使用される用語「軸方向」は、ボディまたは構造の軸を指し、したがって、本明細書で使用される用語「長手方向」とほぼ同義である。しかし、図示の各実施形態は、様々な所望の位置に配置し、あるいは向けることができることが理解されよう。
【００２３】
図１を参照すると、骨１０が、外側皮質骨要素１２および内側皮質骨要素１４を示して、全体的に図示されている。骨折部１６が骨を横切り、骨１０を、本記載の目的上近位要素１９および遠位要素２１と考えられるものに少なくとも部分的に分割している様子が、概略的に示されている。骨折部は、開示される実施形態の適用を示すために簡略化されている。しかし、当業者には理解されるであろうが、骨折部１６は、様々な角度、深さ、および大きさで、骨を横切って延びていてもよい。
【００２４】
図２〜９を参照すると、現時点で好ましい特徴および利点を有する固定装置の実施形態が示されている。この実施形態は、チタンやチタン合金などの金属から構成されるように最適化されている。ただし、本明細書の他の箇所で開示される材料を含む他の材料を本実施形態に用いることもできる。図２および４を参照すると、固定装置は、近位端２８と遠位端３０との間を延びるピン２６の形をしたボディ３２を含んでいる。遠位端３０は、遠位皮質骨もしくは他の面または内側海綿骨に係合する、斜面付き延長部やバーブ５０などの、摩擦力が高められたまたは締り嵌めの複数の構造を含んでいる。
【００２５】
図示の実施形態は、互いに９０°の角度に向けられた４つのバーブ５０を含んでいるが、当業者には本明細書の開示に照らせば明らかなように、１個から約１２個またはそれ以上の任意の数のバーブ５０を用いてもよい。バーブ５０は、ピン２６の長手方向軸の周りに半径方向に対称に分散配置することができる。各バーブ５０は、皮質骨の遠位面、あるいはバーブ５０が固定される他の構造または面に接触する横方向係合面２１を備えている。横方向係合面２１は、ピン２６の長手方向軸を横切る面上にあってもよく、ピン２６の長手方向軸に対して傾けられていてもよい。
【００２６】
図示の実施形態の各横方向係合面２１は、ピン２６の長手方向軸を横切る共通の面上に設けられている。あるいは、接触面２１を含む面を２つ以上設けてもよい。横方向係合面２１はまた、ピン２６の長手方向に対して垂直でない１つまたは２つ以上の面上にあってもよい。たとえば、複数の横方向係合面２１を含む面が、ピン２６の長手方向軸に対して約３５°または４５°から９０°の範囲内の角度で傾いていてもよい。このように、横方向係合面の面は、ある臨床用途での要望に応じて、ピンが貫通して設けられる骨の遠位面の角度を考慮するために、選択可能である。
【００２７】
移植過程中にバーブ５０を半径方向内側に圧縮し、かつ、その後遠位骨面に係合させるためにバーブ５０を半径方向外側に動かすことを容易にするために、図示の実施形態の各バーブ５０は、可撓性のまたはヒンジ付きのレバーアーム２３によって保持されている。レバーアーム２３は、ピン２６の側壁に複数の軸方向長穴１５を作ることによって形成できる。軸方向長穴１５は、中央ルーメン１１と協働して、対応するレバーアーム２３に設けられた各バーブ５０を分離する。軸方向長穴１５の軸方向長さは、たわみが分布する所望の長さや横方向の作動範囲など種々の所望の物理的物性と、所望の構成材料とに応じて変えることができる。チタンのような比較的剛性の材料の場合、外径約０．１インチ、長さ約１．２５インチのピン２６に対して、約０．１インチ、好ましくは約０．２インチを超える軸方向長穴１５の軸方向長さが利用される。軸方向長穴１５は、一般的に、ピン２６の全長の約５％から約９０％の範囲内で延びており、約１０％から約３０％の範囲内で延びていることが少なくない。
【００２８】
図２、４、５、および９を引き続き参照すると、長穴１５の遠位端３０における周方向幅は、ピン２６を横方向係合面２１のすぐ近位側のピン２６の外径に概ね等しい内径を有するあらかじめ穿孔された穴に押し込むため、バーブ５０の寸法と協働して各バーブ５０が半径方向内側にたわむことができるように選択される。このために、各長穴１５の少なくとも一部の周方向幅は、図２に示されているように、遠位端３０での比較的大きな寸法から軸方向長穴１５の近位限界での比較的小さい寸法へと、徐々に狭くなっている。図示の実施形態では、各長穴１５の幅は、応力がかからない方向において、近位端で約０．２０インチ、遠位端で約０．０３５インチである。長穴１５の幅は、その長さに沿って連続的に狭くなっていってもよく、あるいは図示の実施形態のように、近位部ではほぼ一定で、長穴１５の遠位部で徐々に狭くなっていってもよい。中央ルーメン１１の直径を遠位方向に向かって大きくするために、レバーアーム２３の壁厚を徐々に小さくすることもできる。これによって、各レバーアームの内面が互いに底部に落ち切る前の圧縮断面形状を縮小することができるであろう。
【００２９】
ピン２６はさらに、近位アンカー３６と係合する複数の保持構造４４を備えている。ピン２６と近位アンカー３６とを相対的に回転運動させると、ピン２６と近位アンカー３６は軸方向に相対的移動することができる。
【００３０】
保持構造４４は、近位アンカー３６と係合するようにされている。一実施形態では、保持構造４４は、近位限界４６と遠位限界４８との間に、ピン２６に沿って、軸方向に互いに間隔をおいて配置されている。近位限界４６と遠位限界４８との間の軸方向距離は、近位アンカー３６の軸方向への所望の移動距離、つまりはピンの機能サイズの範囲に関連する。ピン２６の一実施形態では、保持構造４４は、近位アンカー３６上の相補保持構造４２と協働するようにされた複数のねじ山を有している。相補保持構造４２は複数の相補的なねじ山とすることができる。この実施形態では、近位アンカー３６をピン２６に対して回転させることによって、近位アンカー３６をピン２６に沿って遠位方向に前進させることができる。近位アンカー３６は、ピン２６を患者から取り出せるように、逆回転させてピン２６から取り外せるようにするのが有利である。このため、カラー３８は、取外し工具がカラー３８をピン２６に対して回せるような把持構成または把持構造を備えていることが好ましい。１つまたは２つ以上の長穴、平坦部、ボアなどのような様々な把持面のいずれを設けてもよい。図示の実施形態では、カラー３８は、多角形、特に、図７に示されているように六角形の外周を備えている。
【００３１】
ピン２６の近位端２８は同様に、設置工具または取外し工具が回転しながら係合するための構造２９を備えている。回転による係合は、当業者には明らかであろうが、種々の形状または構成のいずれを用いても行うことができる。一つの便利な構造は、近位端２８に、対応する工具の相補的な構造に回転しながら係合する１つまたは２つ以上の平坦な側壁を備えることである。図３に示されているように、近位端２８は、正方形断面を有する構造２９を備えていてもよい。あるいは、近位端２８を通る外側断面は、三角形、六角形、その他の多角形や、元々の丸いボディ上に形成された軸方向に延びる１つまたは２つ以上の平坦な側面または溝など、回転連結を可能にする様々な構成のうちのいずれであってもよい。
【００３２】
上述の構造は、第１の部材（たとえば、スリーブ）が近位アンカー３６（図６および７参照）と係合し、第２の部材（たとえば、コア）がピン２６の近位回転係合構造２９と係合する、スリーブ構成内に同心コアを有する設置工具および／または取付け工具の使用を可能とする。第１の部材を第２の部材に対して回転させ、それによって、近位アンカー３６を、ピン２６の保持構造４４に係合するように、または保持構造４４から外れるように回転させることができる。修正された構成では、近位アンカー３６と係合するために第１の工具（たとえば、一対のプライヤまたはレンチ）を、ピン２６の近位回転係合構造２９と係合するために第２の工具（たとえば、一対のプライヤまたはレンチ）を用いてもよい。このような構成では、第１の工具を第２の工具に対して回転させ（逆も可）、それによって、近位アンカー３６を、ピン２６の保持構造４４に係合するように、または保持構造４４から外れるように回転させることができる。
【００３３】
あるいは、近位アンカー３６の保持構造４２は、弾性変形などによってピン２６上を遠位軸方向に進むことが許容されるが、近位アンカー３６をピン２６から取り外すためには、ピン２６に対して回転させることが必要になるようにしてもよい。
【００３４】
他の様々な保持構造のいずれも、好ましくは移植および骨治癒期間経過後に、近位アンカー３６を取り外せるようにすることができる。たとえば、保持構造４４は、軸方向に延びる複数の平坦部または中断部を有する複数のねじ山とすることができる。これらのねじ山は、近位アンカー３６の保持構造４２上の軸方向に延びる複数の平坦部と対応することができる。この構成は、近位アンカー３６をピン２６に対して部分的（たとえば、９０°）に回転させ、それによって保持構造４２、４４の係合を解き、近位アンカー３６をピン２６から軸方向に引き出すことを可能とする。保持構造４２および４４の一方または両方は、らせんねじ山、あるいは周方向に延びる１つまたは２つ以上の山または溝を有していてもよい。一実施形態では、保持構造４２、４４は、ピン２６と近位アンカー３６との間の相対的な回転運動に基づく所望の軸方向移動を実現するピッチを有することができる。保持構造４２、４４のねじ山のピッチは、微細なものから疎なものまで可能である。たとえば、微細なピッチは、アンカー３６をピン２６に対して軸方向に比較的短い距離だけ動かすために近位アンカー３６を数回回転させるのが望ましい場合に選択することができる。この構成では、近位アンカー３６と遠位アンカー３４との間に比較的強い圧縮力を得ることができる。この構成では、近位アンカー３６が不用意に逆回転させられた場合にも、比較的強い抵抗力が生じる。別の実施形態では、保持構造４２、４４のねじ山は、ルアーコネクタに見られるような比較的疎なピッチを有している。このようなねじ山では、ピン２６と近位アンカー３６とを軸方向に急速に相対移動させるための、迅速なひねり連結を行うことができる。近位アンカー３６を比較的少ない回数、または部分的に回転させることによって、ピン２６に対して軸方向に大きく動かすことができる。この構成は、骨にかけられた圧縮の程度についての触覚フィードバック性を向上させることができる。対応する各保持構造のねじ山ピッチやその他の特性は、所望の臨床的性能を考慮しながら、当業者の、本明細書の開示に照らした日常的な経験を通じて最適化することができる。
【００３５】
図４を参照すると、ピン２６には、ピン２６の近位部の切断および取外しを容易にする切断点を設けることができる。切断点は、近位アンカー３６がねじによってピン２６に連結されたときに近位アンカー３６よりも近位側となる位置に設けることができる。
【００３６】
一実施態様では、少なくとも第１の切断点３１は、ピン２６の壁厚の薄い部分に設けることができる。すなわち、ピン２６の切断点３１の断面積は、ピン２６の他の部分の断面積よりも小さくすることができる。ピン２６の近位部は、固定システムに張力がかけられると、カラー３８よりも近位方向に突き出る。図示の実施形態の切断点３１は、近位端２８に横方向の力がかけられたときに定められた破壊点を形成しつつ、取付けシステムの残りの部分が比較的しっかりと固定されるような、環状のくぼみまたは溝を有している。近位アンカー３６のピン２６に対する軸方向への相対移動範囲に応じて、少なくとも第２の切断点３３をさらに設けてもよい。
【００３７】
２つ以上の切断点３１、３３を有する一実施形態では、遠位切断点３１は、１つまたは２つ以上の打ち抜き孔、または近位切断点３３よりも深いくぼみを備えている。このように、遠位切断点３１は、近位端２８にかけられる横方向の圧力に対して、近位切断点３３よりも先に優先的に折れる。これによって、本明細書の開示に照らして理解されるように、近位端２８を設置し切断した後の、カラー３８を越えるピン２６の突出しが最小限に抑えられる。
【００３８】
さらに、移植され切断点３１で折られた後の、近位端２８の近位アンカー３６からの近位方向への突出しも、切断点３１または３３が近位アンカー３６内で折れるようにすることによって、最低限に抑えるか、または無くすことができる。図６を参照すると、保持構造４２は、アンカー３６上の近位面６３よりも遠位側の点６１で終端することができる。傾斜した、またはテーパ状の環状面６５によって、近位アンカー３６を貫通する中央開口の内径は近位方向で大きくなる。近位アンカー３６が、切断点３１が近位限界６１と近位面６３との間に来るように、ピン２６上を遠位方向に進められた後、ピン２６の近位端２８に横方向への圧力をかけることによって、切断点３１を傾斜面６５の領域内で折ることができる。このようにして、折られた後のピン２６の近位端は、近位面６３の所または近位面６３よりも遠位側となり、したがって、装置の外形および組織の炎症の可能性が最低限に抑えられる。
【００３９】
上記に開示された軸方向に設置可能な実施形態のいずれも、設置工具を用いることによって、設置の簡略化が可能である。設置工具は、ピストル・グリップ、注射器型グリップ、またはプライヤ型グリップを備えることができ、したがって、臨床医は工具をピン３２の近位方向への延長線上に設け、骨片に適切な張力をかけるために、近位アンカー３６、５２と遠位アンカー３４とを、手で１回または２回以上収縮させながら互いに引き寄せることができる。事前に較正された工具を使用することによって、所定の張力をピンからピンに一様にかけることができる。
【００４０】
ピンに対して所定の荷重を設定する設置装置の較正は、当業者には理解されるであろう様々な手段のいずれによっても行うことができる。たとえば、ピン３２は、１つまたは２つ以上の所定の位置における部分の引っ張り強度を制限する１つまたは２つ以上の切込み線、または横方向に延びる孔、あるいは他の修正された構成を備えていてもよい。このようにして、近位端２８に軸方向へのカラー５４に対する張力がかけられると、ピン３２が切込み線の所で分離される前に骨に所定の荷重がかけられる。あるいは、所定の限界内の張力をかけ、次に工具の遠位端から張力を解放する内部構造を設置工具内に設けてもよい。
【００４１】
図８は、上述の固定装置２５と共に使用できるロックガイドワイヤ１５０を示している。ガイドワイヤは遠位端１５２と近位端１５４とを有している。図示のガイドワイヤ１５０は、ガイドワイヤ１５０の遠位端１５２に配置されたロック部１５６と、好ましくはガイドワイヤ１５０の遠位部１５６から近位端１５４まで延びている細長い部分１５８とを有している。細長い部分１５８の直径Ｄ１は、遠位部１５４の直径Ｄ２より全体的に小さい。ガイドワイヤ１５０は、ステンレススチール、チタン、または他の任意の適切な材料で作ることができる。陰極反応を防止するため、すべての金属システムにおいて、ガイドワイヤ１５０およびロック部１５６は、固定装置２５の他の部分と同じ材料で作ることが好ましい。
【００４２】
ガイドワイヤ１５０のロック部１５６は、様々な形態のいずれをとることもでき、当業者には本明細書の開示に照らせば明らかであるように、意図された機能を実現することができる。たとえば、図示のような概ね円筒形のロック構造を使用してもよい。あるいは、近位部１５８より大きい断面を有する他の様々な構成のいずれを使用してもよい。所望の圧縮度と、ロック部１５６がピンの遠位端３０に嵌る態様とに応じて、円錐形、球形、または他の形状を用いてもよい。
【００４３】
ガイドワイヤ１５０は、その近位端がピン２６のルーメン１１に挿入できるようにされている。図４を参照すると、ルーメン１１は、第１の部分１６０と第２の部分１６２とを有しているのが好ましい。第１の部分１６０は概ね、遠位端３０の、ピン２６のレバーアーム領域内に配置されている。第２の部分１６２は、第１の部分１６０からピン２６の近位端２８まで延びていることが好ましい。第１の部分１６０の内径は概して第２の部分１６２の直径より大きい。このため、第１の部分１６０と第２の部分１６２との間の接合部は、ピン２６の長手方向軸を横切る、横方向環状係合面１６４を形成している。
【００４４】
上述のように、ガイドワイヤ１５０は、その近位端がピン２６のルーメン１１に挿入できるようにされている。このため、細長い部分１５８の直径Ｄ１はルーメン１１の第２の部分１６２の直径より小さい。これに対して、遠位部１５６の直径Ｄ２は概して、第１の部分１６０の直径と同じか、それより大きく、第２の部分１６２の直径よりも大きい。この構成により、遠位部１５６は近位方向に第１の部分１６０内に引き込まれることができるが、遠位部１５６がピン２６を近位方向に通過することは妨げられる。遠位部１５６が第１の部分１６０の直径より大きい実施形態では、第１の部分は遠位アンカー３４を、弛緩した状態の直径より大きく広げることができる。
【００４５】
さらに、設置後のロックガイドワイヤ１５０の遠位方向への移動に抵抗する、摩擦力が強化された様々な表面または表面構造のいずれかを設けることもできる。たとえば、ロックガイドワイヤ１５０をルーメン１１内に取外し可能に保持するようにルーメン１１の内面の対応する表面構造と協働する、半径方向内側または半径方向外側に向けられた様々な表面構造のいずれかを、ロックガイドワイヤ１５０の長さに沿って設けることができる。一実施形態では、ロックガイドワイヤ１５０の外径上を半径方向外側に延びる環状のフランジまたは溝と協働する円筒形の溝または山が、ルーメン１１の内面に設けられる。相補的な表面構造は、ロックガイドワイヤまたはガイドピンは近位方向にルーメン１１内に引き込まれロック構造と係合するが、ロック構造は、ロックガイドワイヤ１５０の遠位方向への移動に対し、通常の使用状態では外れにくいかまたは外れないように、十分に抵抗するような寸法公差に形成される。
【００４６】
骨固定装置を挿入し設置する挿入工具２００の実施形態が図１０〜２０に示されている。後述のように、図示の挿入工具２００は、上述の骨固定装置や、２００１年３月２２日に出願され、引用によってその全体が本明細書に組み込まれる米国特許第６，６３２，２２４号に記載の骨固定装置など、ピン２６とロックガイドワイヤ１５０とを用いた骨固定装置を設置できるように、特に構成されている。したがって、挿入工具については上述のロック装置を参照して説明する。しかし、挿入工具２００のいくつかの特徴は、ピンおよび／またはロックガイドワイヤ１５０を用いない骨固定装置でも有用であることを理解されたい。
【００４７】
図１０を参照すると、図示の実施形態の挿入工具２００は、一般的に、細長い管状の外側ボディ２１０と、一対のレバー２３０と、管状の外側ボディ２１０内に滑動可能に設けられかつレバー２３０に連結された中央部材２５０とを有している。後述のように、レバー２３０は、ロックガイドワイヤ１５０に係合するようにされている。工具２００はさらに、外側ボディ２１０に連結され、骨固定装置のピン２６と係合するようにされた遠位部２２０を有している。挿入工具２００は、ロックガイドワイヤ１５０を把持し、ロックガイドワイヤ１５０を近位方向にピン２６に対して相対移動させるようにされている。このように、ロックガイドワイヤ１５０の遠位部１５６は、ピン２６のレバーアームの圧縮に抵抗して、近位方向にルーメン１１の第１の部分１６０（図９参照）内に引込まれることができる。
【００４８】
図１０および１１を参照すると、外側ボディ２１０は、近位端２１２と遠位端２１４とを有する概ね管状のボディである。図示の実施形態では、外側ボディ２１０は、レバー２３０の一部が外側ボディ２１０から延びるようにされ、径方向に互いに離れた、細長い一対の開口部または長穴２１６を有している。長穴２１６は、互いに概ね平行でもよく、遠位端２１４と外側ボディ２１０の上部ボディ２５３との間にある開口部または窓２１８から延びていてもよい。図示の実施形態では、レバー２３０は、長穴２１６に沿って軸方向に滑ることができ、レバー２３０の少なくとも一部は、工具２００の長手方向軸から離れる方向および／または長手方向軸に近づく方向に動くことができる。図示されていないが、長穴２１６および細長いボディ２１０は、所望の用途および設置環境に応じて様々な形状および構成をとることができる。図示の実施形態では、外側ボディ２１０は、窓２１８および長穴２１６を形成するために一部が除去された管状のボディで形成されている。他の実施形態では、外側ボディ２１０は他の断面形状（たとえば、矩形、楕円形など）をとることができる。
【００４９】
装置２００の断面図である図１１を参照すると、外側ボディ２１０は、中央ボディ２５０と、偏位部材２６０（たとえば、ばね）と、ラチェット組立体２４３と、レバー２３０の一部とが設けられるチャンバを形成する内表面２１１を有している。
【００５０】
レバー２３０は、指当接部２３２と、細長い部分すなわちアーム２３３と、ワイヤ把持部２３４とを有していることが好ましい。レバー２３０は、人がレバー２３０を快適に把持し、レバー２３０に力をかけることができるようにされている。図示の実施形態では、レバー２３０は概ね「Ｌ」字形または「Ｊ」字形を有している。しかし、レバー２３０は、レバー２３０を動かしたときにレバー２３０の一部が骨固定装置（たとえば、ロックガイドワイヤ１５０）と係合できる、任意の形状または構成を有することができる。
【００５１】
指当接部２３２は、レバー２３０の近位端に位置し、アーム２３３から外側ボディ２１０（図１０参照）の外まで延びる、概ね湾曲した細長い部材である。指当接部２３２の幅は、端部２３５に向かって小さくすることができる。指当接部２３２は、ユーザの所望の数だけの指に快適に当接するようにすることができる。たとえば、一実施態様では、指当接部２３２は、人が１本の指を用いて工具２００の一方の側の上部指当接部２３２に力をかけ、別の指を用いて工具２００の他方の側の下部指当接部２３２に力をかけることができ、ボディ２１０が上の指と下の指との間を延びるようにされている。指当接部２３２は、ユーザの複数の指と当接するようにできることを理解されたい。
【００５２】
指当接部２３２の端部２３５は遠位方向に湾曲しているため、ユーザの指がレバー２３０から滑って外れることが防止できるという他の利点もある。したがって、ユーザがレバー２３０を引くと、指当接部２３２は、ユーザの指が外側へ（すなわち、工具２００の長手方向軸から離れる方向へ）動くことを抑えることができる。しかし、当業者には、指当接部２３２が、たとえば、レバー２３０にかけられる力、ユーザの指や手の大きさ、工具２００の用途などに応じて、他の形状および大きさを備えていてもよいことが認識されよう。
【００５３】
引き続き図１１を参照すると、レバー２３０のアーム２３３は、指当接部２３２からレバー２３０の遠位端付近の把持部２３４まで延びている。アーム２３３の本体部分は概ね矩形断面形状とすることができる。ワイヤ把持部２３４は、中央ボディ２５０に対してピボット運動可能である。したがって、図示の実施形態では、ワイヤ把持部２３４は、ピボットピン２３６を受入れる穴２３７を含んでいる。ワイヤ把持部２３４は、舌または熊手の形とすることができる。しかし、ワイヤ把持部２３４は、レバー２３０が一定の位置に動かされたときに、ロックワイヤ１５０の一部に接触し、その一部を保持することのできる任意の形状が可能である。図１６に示されているように、ワイヤ把持部２３４は、ワイヤ把持部２３４の近位部２３４ａ間の距離がワイヤ把持部２３４の遠位部２３４ｂ間の距離より短くなるようにされている。したがって、近位方向への力２３９（図１１に示されている矢印）によって、近位部２３５ａはガイドワイヤを挟みガイドワイヤの移動を抑える。他の実施形態では、レバー２３０がガイドワイヤを把持したときに、近位部２３４ａ間の距離と遠位部２３４ｂ間の距離とは概ね等しくなる。ワイヤ係合部２３４はまた、把持力を高める特徴を含んでいてもよい。たとえば、一実施態様では、ワイヤ係合部２３４は、ガイドワイヤがワイヤ係合部２３４によってしっかりと保持されるように、固定装置のガイドワイヤに係合する溝を有している。しかし、ワイヤ係合部２３４は、ワイヤ係合部２３４と固定装置の一部との間の所望の相互作用を実現する他の表面処理を施されていてもよい。たとえば、ワイヤ係合部２３４は、ワイヤ係合部２３４と骨固定装置との間に十分な摩擦力を生じさせるように、突起、スパイク、またはテクスチャ加工された表面を備えていてもよい。
【００５４】
引き続き図１１を参照すると、穴２３７がレバー２３０の遠位端に設けられている。一実施態様では、穴２３７の中心は、ワイヤ把持部２３４の少なくとも一部より遠位方向に設けられていることが好ましい。この構成は、ユーザが十分な力をかけたときにレバー２３０がガイドワイヤ１５０をしっかりと把持するという機械的利点をもたらす。それ故に、穴２３７の中心の指グリップ２３５に対する位置は、所望のてこの作用を実現するように変えることができる。
【００５５】
上述のように、レバー２３０は、ピン２３６によって形成されるピボット軸の周りを矢印Ｐの方向に沿って回転し、ロックワイヤ１５０に係合するように中央ボディ２５０に取り付けられている。図示の実施形態では、たとえば外側ボディに遠位方向への力２４１をかけて外側ボディ２１０を静止状態に保持しながら、矢印２３９で示されている近位方向への力をレバー２３０にかけて、レバーをピボットピン２３６の周りで矢印Ｐの方向へピボット運動させ、それによってレバー２３０の近位端を工具２００の中心軸の方へ動かすことができる。したがって、上部レバー２３０はその関連するピン２３６の周りを時計回りに回転することができ、下部レバー２３０は、その関連するピン２３６の周りを反時計回りに回転することができる。レバー２３０のワイヤ係合部２３４は、レバー２３０がピボット運動するにつれて、ワイヤ係合部２３４が互いに近づく方へ動き、したがって、その間にあるワイヤまたはピンを把持することができるようにされている。
【００５６】
図示の実施形態の他の利点は、指当接部２３２に比較的弱い概ね近位方向への力をかけることによって、（図１４に示されているように）ワイヤ把持部２３４同士の間に挟まれたロックワイヤ１５０をしっかりと把持できる、という機械的利点をもたらすように、レバー２３０のレバーアーム２３３の有効長が選択されることである。当業者には、ユーザの特定のニーズに対してレバーの様々な寸法を最適化するにはどうしたらよいかが理解されよう。あるいは、工具は、軸方向、斜め方向、回転方向、および／または他の方向を向く力に応答して、骨固定装置のガイドワイヤを把持するようにしてもよい。このような実施形態では、当業者には本開示に照らして明らかであろうが、別のレバー、ケーブル、プーリ、または他の構造を組み込むことができる。
【００５７】
ロックワイヤを外すには、ワイヤ把持部２３４がガイドワイヤ１５０を外すようにレバー２３０を遠位方向（すなわち、図１１の矢印２３９の方向とは逆の方向）に動かせばよい。図１１に示されているように、図示の実施形態では、レバー２３０を、近位端の方に設けられた偏位部材２３１（たとえば、コイルばね）によって外側に偏位させることができる。この構成では、偏位部材２３１は、中央ボディ１５０に形成された開口部または穴２７７を通って延びることができる。
【００５８】
好ましい実施形態では、ワイヤ１４０を把持するためにワイヤ把持部２３４を備えた一対のレバーアームを用いているが、他の図示していない実施形態では、ワイヤを把持する他の構成および装置を用いてもよいことを理解されたい。
【００５９】
引き続き図１１を参照すると、図示の実施形態では、工具２００はその近位端にストップ２５８を有している。ストップ２５８は、ストップ２５８の遠位部が外側ボディ２１０内に配置され、ストップ２５８の遠位部が外側ボディ２１０から延びるように外側ボディ２１０の近位端２１２に連結されている。ストップ２５８の遠位部は、コイルばねの形にすることのできる近位偏位部材２６０に係合させることができる。
【００６０】
近位偏位部材２６０は、中央ボディ２５０を遠位方向に偏位させるために、ストップ２５８と中央ボディ２５０の近位端２４９との間に設けられていることが好ましい。近位端２４９は、シートすなわち係合面２５６と円筒形のボディ２６３とを有している。図示の実施形態では、近位偏位部材２６０の近位端はストップ２５８の遠位端と係合し、近位偏位部材２６０の遠位端は近位端２４９の係合面２５６と係合している。ばね２６０の遠位部は、近位端２４９の円筒形のボディ２６３を取り囲んでいる。円筒形のボディ２６３は、有利なことに、工具２００の動作時に偏位部材２６０を適切な位置に維持する。偏位部材２６０の遠位部は、外側ボディ２１０の内面２１１と円筒形のボディ２６３との間に設置されているのが好ましい。
【００６１】
図１１、１１Ａ、１４、および１５を参照すると、中央ボディ２５０は、偏位端部２４９（上述）と、ラチェット部２５２と、壁２５１と、上部ボディ２５３と、下部ボディ２５５とを有していることが好ましい。偏位端部２４９は、中央ボディ２５０の近位端に設けられ、上部ボディ２５３および下部ボディ２５５は、他方の端部に設けられている。ラチェット部２５２は、ばね端部２４９とボディ２５３、２５５との間にある。壁２５１は、上部ボディ２５３の一部と下部ボディ２５５の一部との間にある。中央ボディ２５０は、外側ボディ２１０内に滑動可能に設けられていることが好ましく、中央ボディ２５０は、外側ボディ２１０と同心で、かつ外側ボディ２１０内を軸方向に移動可能であることがより好ましい。
【００６２】
後述のように、ラチェット部２５２は、中央ボディの遠位方向への外側ボディ２１０に対する相対移動に抵抗しつつ、中央ボディ２５０の近位方向への外側ボディ２１０に対する相対移動を許容する。図示の実施形態では、ラチェット部２５２は、偏位端部２４９に連結されるかまたは偏位端部２４９と一体に形成され、かつ、中央ボディ２５０の一部が解放ボタン２４０を通り過ぎて移動するのを可能にするようにされた、複数の脚部２５７（たとえば、図１１および１２参照）を有している。一実施態様では、上部脚部および下部脚部２５７の一方は解放ボタン２４０の一方の側に設けられ、上部脚部および下部脚部２５７の他方は解放ボタン２４０の他方の側に設けられている。複数の脚部２５７は一対の長穴２５９を形成している。たとえば、図１１Ａに図示された実施形態では、一対の上部脚部２５７が上部長穴２５９ａを形成し、一対の下部脚部２５７が下部長穴２５９ｂを形成している。長穴２５９ａ、２５９ｂは、ラチェット部２５２が解放ボタン２４０に対して相対移動できるように、解放ボタン２４０が長穴２５９ａ、２５９ｂ内に収まるような大きさにされている。
【００６３】
図１１および１２を参照すると、ラチェット部２５２は、中央ボディ２５０の外側ボディ２１０に対する相対移動を制限する様々な保持構造２６１のいずれかを有している。図示の実施形態では、ラチェット部２５２は、外側ボディ２１０に対して軸方向に固定された対応するラチェット板２５４と係合するようにされた、複数の山または歯の形をした構造２６１を有している。一実施態様では、ラチェット部２５２の下部脚部２５７は、上面を形成する歯２６１を有している。ラチェット板２５４は、下部脚部２５７の歯２６１と係合する、歯などの対応構造を有していることが好ましい。しかし、構造２６１は、中央ボディ２５０の移動を制御するようにラチェット板２５４と協働する、溝、ねじ山、または他の適切な構造とすることもできる。
【００６４】
ラチェット板２５４は、ラチェット部２５２の下部脚部２５７の方へ偏位するようにされている。このようにして、ラチェット板２５４は、中央ボディ２５０が一方向にのみ移動できるようにすることができる。図示の実施形態では、中央ボディ２５０は、軸方向近位方向に移動可能であり、外側ボディ２１０に対して遠位方向には制限されている。
【００６５】
ラチェット板２５４は、当業者によって認識される様々な装置および方法を用いて偏位させることができる。たとえば、図示の実施形態では、偏位ピン２６２（たとえば、図１２参照）がラチェット板２５４を下部脚部２５７の方へ偏位させている。偏位ピン２６２は、外側ボディ２１０の互いに向かい合う壁に当たり、その横方向軸の周りの回転に抵抗するような寸法を有し、かつそのように配置することができる。偏位ピン２６２は、ラチェット板２５４の穴（図１１参照）の中に配置され、ラチェット板２５４も偏位ピン２６２の横方向軸の周りの回転に抵抗する。したがって、偏位ピン２６２は、ラチェット板２５４の下面を下部脚部２５７の上面に係合させることができる。他の実施形態では、ラチェット板２５４を偏位させる他の適切な装置および構造を用いることができる。たとえば、ラチェット板２５４が中央ボディ２５０に所望の移動範囲を与えるように、ばねを、偏位ピン２６２と組み合わせて用いることができる。
【００６６】
解放ボタン２４０（図１１および１２参照）は、ラチェット板２５４が中央ボディ２５０を解放するのを可能にするために設けられることが好ましい。中央ボディ２５０が解放されると、偏位部材２６０の偏位によって中央ボディ２５０をその元の遠位位置に戻すことができる。図示の実施形態では、解放ボタン２４０は、外側ボディ２１０の互いに向かい合う壁から延び、ラチェット板２５４に連結された概ね円筒形の部材である。外側ボディ２１０は、直径方向に離れて配置された、解放ボタン２４０を受入れる穴または開口部を有していることが好ましい。したがって、解放ボタン２４０は外側ボディ２１０に対して軸方向に移動できず、そのため、ラチェット板２５４も外側ボディ２１０に対して軸方向に移動できない。
【００６７】
図１２に図示された実施形態では、解放ボタン２４０は、ラチェット板２５４が脚部２５７と係合し、中央ボディ２５０の遠位方向への移動が抑えられる第１の位置にある。解放ボタン２４０が第１の位置にあるときは、解放ボタン２４０の下部が外側ボディ２１０から延びている。解放ボタン２４０は、解放ボタン２４０の上部が外側ボディ２１０から延びるように、垂直方向に、第２の位置（図示せず）に動かされることができる。ユーザは、解放ボタン２４０に垂直方向の力をかけることによって、解放ボタン２４０を第２の位置に動かすことができる。解放ボタン２４０が第２の位置にあると、解放ボタン２４０に連結されたラチェット板２５４は下部脚部２５７から離れ、ラチェット板２５４の歯が下部脚部２５７の歯２６１から外れる。中央ボディ２５０は、解放ボタン２４０が第２の位置にあるときには、遠位方向と近位方向のどちらにも滑動することができる。図示されていないが、当業者には、解放ボタン２４０の他の適切な構成および位置が認識されよう。
【００６８】
偏位ピン２６２および解放ボタン２４０は、プレス嵌め、溶接、接着剤、ねじ、その他の機械的な止め具、または当業者によって認識される他の任意の方法によって、ラチェット板２５４に連結することができる。図示の構成では、解放ボタン２４０および偏位ピン２６２は、好ましくは、ラチェット板２５４のそれぞれの穴内にぴったりとプレス嵌めされる大きさを有している。あるいは、解放ボタン２４０および／または偏位ピン２６２は、解放ボタン２４０および偏位ピン２６２がラチェット板２５４に対して実質的に固定されるように、ラチェット板２５４上の対応する構造と相互作用するようにされた環状の山および溝を有していてもよい。
【００６９】
上述のように、ラチェット部２５２は、中央ボディの遠位方向への外側ボディ２１０に対する相対移動に抵抗しつつ、中央ボディ２５０の近位方向への外側ボディ２１０に対する相対移動を許容する。一方、解放ボタン２４０でラチェット部２５２を外すと、中央ボディ２５０は遠位方向へ動くことができる。上述の構造は一つの好ましい実施形態を表しているが、中央ボディの遠位方向への外側ボディ２１０に対する相対移動に抵抗しつつ、中央ボディ２５０の近位方向への外側ボディ２１０に対する相対移動を許容するという選択的な動作を可能とする他の装置および構造を設けてもよいことを理解されたい。
【００７０】
次に図１１Ａを参照すると、中央ボディ２５０の壁２５１、上部ボディ２５３、および下部ボディ２５５は、ラチェット部２５２の遠位端に連結するか、または遠位端と一体で形成することができる。壁２５１とボディ２５３、２５５は協働して、レバー２３０の少なくとも一部を受入れることのできる、窓２７５、および長穴または溝２７１を形成している。
【００７１】
図示の実施形態では、壁２５１は、上部ボディ２５３および下部ボディ２５５に連結され、溝２７１の底部を形成している。壁２５１は、ラチェット部２５２の近くの位置から窓２７５の近位側まで延びている。壁２５１の近位部は、上述のように偏位部材２３１の少なくとも一部を受入れる開口部または穴２７７を有している。図示の実施形態では、開口部２７７は、概ね円形であり、図１１に示されているように、偏位部材２３１の中央部を取り囲む大きさにされている。当業者には、開口部２７７を、レバー２３０の構成に応じて、様々な位置に設けることができることが認識されよう。
【００７２】
図１１を参照すると、図示の実施形態では、壁２５１は、概ね一様な幅を有し、一対のレバー２３０の一部の間に配置されている。しかし、壁２５１は、たとえば開口部２７７の大きさやレバー２３０の所望の動きに応じて、他の適切な形状を有していてもよい。たとえば、図１６に示されているように、壁２５１は、ガイドワイヤ１５０を受入れる、少なくとも部分的に軸方向に延びる開口部または穴２８１を有していてもよい。ガイドワイヤ１５０の近位端を挿入し、穴２８１に沿って前進させることができる。
【００７３】
再び図１１Ａを参照すると、図示の実施形態では、上部ボディ２５３は、壁２５１の上部に連結され、溝２７１の上側を形成している。上部ボディ２５３は、その長さに沿って概ね半円形の断面を有している。上部ボディ２５３の上面は、外側ボディ２１０の内面２１１に合致するように湾曲している（たとえば、図１２参照）。中央ボディ２５０の上面は、中央ボディ２５０が外側ボディ２１０内を容易に滑動することができるように、外側ボディ２１０の内面２１１に滑動可能に係合することができる。下部ボディ２５５は、壁２５１の下部に連結され、溝２７１の下側を形成している。下部ボディ２５５はまた、その長さに沿って概ね半円形の断面を有している。下部ボディ２５５の下面は、外側ボディ２１０の内面２１１に合致するように湾曲している。下部ボディ２５５の下面は、中央ボディ２５０が外側ボディ２１０内を容易に滑動することができるように、外側ボディ２１０の内面２１１に滑動可能に係合することができる。図示されていないが、他の実施形態では、下部および上部ボディ２５３，２５５は、溝２７１および／または外側ボディ２１０の、所望の大きさおよび構成に応じて、他の適切な形状を有していてもよい。
【００７４】
遠位壁２７３（図１１Ａ参照）が、上部ボディ２５３から下部ボディ２５５へと延びている。遠位壁２７３は、図１６に示されているように、ロックワイヤ１５０を受入れる開口部または穴２７９を有している。穴２７９は、ガイドワイヤの横方向への実質的な動きを防止することができ、ガイドワイヤを所望の位置に配置することができる。穴２７９によって、ガイドワイヤ１５０を２本のピボットピン２３６から等距離の位置に配置することができる。したがって、ユーザがレバー２３０に近位方向への力をかけると、各ワイヤ係合部２３４は、ほぼ同時にガイドワイヤ１５０に接触し、ガイドワイヤ１５０の所望の位置を維持することができる。たとえば、ガイドワイヤ１５０は、工具２００の使用時にほぼ真っ直ぐな状態に維持されることができ、したがって、ガイドワイヤ１５０の湾曲が防止される。
【００７５】
図１１および１１Ａを参照すると、溝２７１は、レバー２３０および偏位部材２３１の少なくとも一部を受入れる。溝２７１のこのような構成により、レバー２３０が対応するそれぞれのピボットピン２３６の周りを適切に動くことが容易となる。また、溝２７１の各壁または各辺は、レバー２３０の垂直方向への動きを制限することが好ましい。
【００７６】
図１１、１１Ａ、および１２を参照すると、窓２７５が壁２５１と遠位壁２７３との間に形成されている。窓２７５は、各レバーのワイヤ係合部２３４の少なくとも一部を受入れるようにされている。図１４に示されているように、ガイドワイヤ１５０は窓２７５を通過することができる。
【００７７】
図１１および１２に示されているように、工具２００の遠位部２２０は、骨固定装置の近位ピン２６を受入れ、少なくとも一時的に保持するようにされていることが好ましい。特に図１６および１７を参照すると、遠位部は、外側ボディ２１０の遠位端２１４に取り付けられた遠位キャップ２７０を有している。遠位キャップ２７０は、ハウジング２８３と、座金２７２と、座金位置決めねじ２７４と、ピン把持レバーアーム２８０とを有している。遠位キャップ２７０はまた、骨固定装置の一部を受入れるワイヤ受入れルーメン２７８を形成している。たとえば、図示の実施形態では、ワイヤ受入れルーメン２７８はガイドワイヤ１５０を受入れることができる。
【００７８】
ハウジング２８３は、骨固定装置の一部（たとえば、ピン２６）を受入れる先端部３０２を有している。先端部３０２は、開口部３０４と、ピン受入れルーメン２７６の少なくとも一部を形成するボディ３０６とを有している。図１６および１７に示されているように、開口部３０４は、ピン２６の近位端２８が開口部３０４を通り抜け、ピン受入れルーメン２７６に沿って通過できる大きさにされている。先端部３０２の近位部は、ピン把持アーム２８０を受入れるようになっていることが好ましい。図示の実施形態では、ピン把持アーム２８０の外面は、先端部３０２の外面と概ね同一平面を形成している。
【００７９】
ハウジング２８３は、外側ボディ２１０の遠位端２１４に連結されることができ、中央ボディ２５０の遠位壁２７３から、ピン把持アーム２８０を越えて延びることができる。図示の実施形態では、ハウジング２８３の近位部は外側ボディ２１０の遠位開口部内に配置されている。ハウジング２８３は、座金２７２と、座金位置決めねじ２７４と、ワイヤ１５０の一部とを取り囲む円筒形のチャンバを形成している。
【００８０】
図１６を参照すると、座金２７２は、有利なことに、流体の工具２００内への流入を抑える。図示の実施形態では、座金２７２は、座金を通って挿入されるガイドワイヤ１５０と共にシールを形成し、これによって、流体（たとえば、血液）がワイヤ１５０と座金２７２との間に入り、挿入工具２００の把持機構内に入ることが防止される。座金２７２はまた、ガイドワイヤを所定の位置に保持するように、座金２７２とガイドワイヤ１５０との間に摩擦嵌めまたは弾性嵌めを形成することができる。座金２７２は、座金２７２とハウジング２８３の内面との間にシール３１０を形成することもできる。シール３０８、３１０は、好ましいことに、流体が座金２７２の近位側を通過することを防止する。座金２７２は、通常、ゴム、ラテックス、その他柔軟性のある材料などの可撓性の材料で作られる。座金２７２は、適切なシール特性を備えた他の種類の材料で構成することもできる。通常の当業者は、工具２００の機構内への流体の流入を防止する所望のシールを実現する、材料の種類と厚さと形状の適切な組合せを決定することができよう。
【００８１】
図示の実施形態では、座金位置決めねじ２７４は、座金２７２をハウジング２８３内に保持し設置する。この構成の座金位置決めねじ２７４は、ハウジング２８３の内面の近位部と係合する近位部を備えた、概ね円筒形のボディを有している。座金位置決めねじ２７４の遠位端は、座金２７２を受入れる円形のくぼみを有している。ワイヤ受入れルーメン２７８の一部は、ガイドワイヤ１５０が座金位置決めねじ２７４を通過できるように、座金位置決めねじ２７４によって形成されている。一実施形態では、座金位置決めねじ２７４はその近位端の一部にねじ山を有し、ハウジングは対応するねじ山を有している。したがって、座金位置決めねじ２７４とハウジング２８３とをねじによって連結することができる。座金２７２とハウジング２８３との間の所望のシール３１０は、ねじ２７４とハウジング２８３とを軸方向に相対移動させるように、ねじ２７４をハウジング２８３に対して回転させることで得ることができる。たとえば、流体がシール３１０を通って流入する場合、ねじ２７４が遠位方向に移動し、それによって座金２７２がハウジング２８３に押し付けられるように、ねじ２７４をハウジング２８３に対して回転させることができる。このようにして、所望のシール３１０が得られるまで、座金２７２をねじ２７４とハウジング２８３との間で圧縮することができる。他の実施形態では、ねじ２７４は、ねじ山が設けられず、ハウジング２８３内にほぼぴったりと嵌まる大きさにされている。図示されていないが、座金２７２によって適切なシールが形成されるように、他の種類の部材を遠位キャップ２７０内にぴったりと嵌め込めることも好ましい。
【００８２】
ねじ２７４は、ゴム、プラスチック、金属、柔軟性のある材料などの材料で作ることができる。ねじ２７４は、適切なシール特性を有する他の種類の材料で構成することもできる。通常の当業者は、工具２００の機構内への流体の流入を防止する所望のシールを実現する、材料の種類と厚さと形状の適切な組合せを決定することができよう。
【００８３】
引き続き図１６を参照すると、ピン把持アーム２８０は、ピン受入れルーメン２７６内に骨固定装置（たとえば、ピン２６）を好ましくは取外し可能に保持するようにされた、様々な構造を備えることができる。図示の実施形態では、ピン把持アーム２８０は、ピンと係合する山すなわち中子３１４を持つレバーアーム３１３を有している。中子３１４の端部は、ピン２６を保持する構成および大きさにすることができる。図１７に示す実施形態では、骨固定装置のピンは、骨固定ピンが好ましくは挿入工具２００によって相当しっかりと保持されるようにピン把持アーム２８０の中子３１４の端部を受入れる大きさを有し、かつ中子３１４の端部を受入れるように設けられた、環状の山または溝３１６を備えることができる。したがって、ピン把持アーム２８０は、ピン２６の、工具２００に対する、軸方向への実質的な移動を抑制する。中子３１４は、ピン把持アーム２８０を外してピン２６を工具２００から取り外すために、外側に動かすことができる。ピン把持アーム２８０の中子３１４およびピン２６の溝３１６は、ピン２６の所望の固定を実現するのに適した様々な形状および大きさを備えることができる。たとえば、溝３１６は概ねＵ字形の外面を備え、中子３１４の端部は同様の形状を備えていてもよい。いくつかの実施形態では、溝３１６は概ねＶ字形状を備え、中子３１４の端部は同様の形状を有していてもよい。
【００８４】
引き続き図１６を参照すると、ピン受入れルーメン２７６は通常、ピンの十分な長さをルーメン２７６に挿入することを可能にするピンストップ２８２を含んでいる。ピン受入れルーメン２７６の遠位端は開口部３０４を形成している。中子３１４は、ピン受入れルーメン２７６の近位端と遠位端との中間に配置されている。図示の実施形態では、ピン受入れルーメン２７６の直径はその遠位端で小さくなっている。すなわち、先端部３０２が遠位端に環状の山３１８を備え、その遠位端において山３１８の内面が開口部３０４を形成するようにすることができる。
【００８５】
次に、使用方法の一つの実施形態による、骨固定装置２５および挿入工具２００の操作について、図１８〜２０を参照して説明する。臨床医が骨に到達した後、骨ドリルが選択され、臨床医は２つの骨片を貫通する穴２９０（または図１の２２）を穿孔する。骨固定装置２５は、パッケージから直接挿入工具２００に挿入してもよく、それによって固定装置２５の無菌状態が維持され、好ましい。図示の実施形態において、図１６および１７を参照すると、骨固定装置２５が、ガイドワイヤ１５０の近位端を開口部３０４に挿入することによって挿入工具に挿入され、ガイドワイヤ１５０の所望の部分がレバー２３０のワイヤ把持部２３４の間にくるまで、ワイヤ受入れルーメン２７８に沿って進められる。次に、ピン２６の近位端２８が開口部３０４に挿入され、ピンストップ２８２に接触するかまたはその近くにくるまで、ピン受入れルーメン２７６に沿って進められる。修正された実施形態では、ガイドワイヤ１５０およびピン２６を事前に挿入工具２００内に設置し、殺菌されたパッケージ内に包装してもよい。
【００８６】
装置２５を保持する挿入工具を用いて、ガイドワイヤ１５０の遠位端１５６とピン２６の遠位端３０は、バーブ５０が経路２９０から出るまで、経路２９０内を進められる。非貫通の穴（図示せず）に適用する場合は、ピン２６は、バーブが臨床医によって決定された十分な距離だけ骨内を前進するまで進められる。他の実施形態では、異なる工具または臨床医の手を用いて固定装置２５を経路２９０内に挿入してもよい。
【００８７】
臨床医は、ガイドワイヤ１５０が挿入工具２００内に収められた状態で、外側ボディ２１０を相対的に静止状態に保持しながら、挿入工具の指当接部２３２に近位方向への力をかけることができる。好ましいことに、偏位部材２６０が中央ボディ２５０の偏位端部２４９に遠位方向への十分な力をかけているので、中央ボディ２５０が工具２００の外側ボディ２１０に対して概ね静止状態を保ちつつ、レバー２３０がピボットピン２３６の周りを回転し、ガイドワイヤ１５０をしっかりと把持することができる。レバー２３０がガイドワイヤ１５０を把持すると、ユーザは、ばね２６０の偏位に打ち勝つに十分な近位方向への力をかけ、ガイドワイヤ１５０を把持しているレバー２３０を動かし、それによって、中央ボディ２５０を近位方向に工具２００の外側ボディ２１０に対して相対移動させることができる。図示の実施形態では、中央ボディ２５０の偏位端部２４９が偏位ストップ２５８の遠位端に接触するまで、レバー２３０と中央ボディ２５０とを近位方向へ動かすことができる。あるいは、ばね２６０の偏位が臨床医によってかけられる近位方向への力に打ち勝ったときに、レバー２３０および偏位端部２５０の近位方向への外側ボディ２１０に対する相対移動を停止することができる。
【００８８】
レバー２３０および中央ボディ２５０が外側ボディ２１０内を外側ボディ２１０に沿って滑動すると、レバー２３０はガイドワイヤ１５０を把持して引っ張り、一方、先端部３０２はピン２６を外側ボディ２１０に対して静止状態に保持する。したがって、指当接部２３２に近位方向への力をかけると、好ましいことに、ガイドワイヤ１５０がピン２６に対して引き込まれる。ガイドワイヤ１５０は、遠位部１５６が少なくとも部分的にピン２６の第１の部分１６０（図９参照）に入るまで引き込まれることが好ましい。このため、ガイドワイヤ１５０の遠位部１５６の少なくとも一部はピン２６の第１の部分１６０内でロックされる。これによって、バーブ５０とレバーアーム２４が半径方向内側に圧縮されることが防止され、バーブ５０は骨の遠位要素２１にぴったりと当接したままになる。好ましいことに、バーブ５０の外面は経路２９０の内面に接触し、経路２９０に沿ったピン２６の移動を抑える摩擦力をかける。上述のように、いくつかの実施形態では、遠位部１５６は、レバーアーム２４を、その弛緩した自然状態での直径を越えた状態に広げることができる。
【００８９】
挿入工具２００は、中央ボディ２５０が移動できる最大距離（したがって、ワイヤを引っ張れる最大距離）が、ガイドワイヤ１５０の遠位部１５６をピン２６の第１の部分１６０内に適切に設置するのに必要な最大距離と対応するように構成することができる。あるいは、ガイドワイヤ１５０の引込み量を示す別の構造を設けてもよい。たとえば、臨床医がガイドワイヤの把持および引込み距離を視覚的に確認できる視認窓を設けてもよい。
【００９０】
ガイドワイヤ１５０の遠位部１５６がピンの第１の部分内に収められると、近位アンカー３６を、回転させるかまたは他の方法で、遠位方向にピンのボディ２６に対して前進させ（たとえば、ピンを近位方向に引き込むことによって）、近位アンカー３６を骨１０の近位要素１９にぴったりと当接させることができる。固定装置を近位方向に引き込むかまたは遠位方向に前進させるには他の工具が必要である。たとえば、２００４年３月１日に出願され、引用によって本出願の明細書の一部として組み込まれる同時係属出願「二次圧縮を伴う遠位骨アンカーの取付け用具」（アトーニー・ドケットＮｏ．TRIAGE.019A）に記載された設置装置や、同様の装置を、近位アンカー３６を遠位方向に前進させ、および／またはピンのボディ２６を近位方向に近位アンカー３６に対して引き込むために用いることができる。あるいは、近位方向への引込みまたは遠位方向への前進をおこなうため、このような工具の特徴を、本明細書に記載された挿入工具と組み合わせてもよい。近位アンカー３６は、ピンのボディ３２を穴２２または経路２９０内に設ける前、あるいはピンのボディ３２を経路２９０または２２内に配置した後に、骨固定装置２５上に設けることができることを理解されたい。
【００９１】
近位アンカー３６に適切な張力をかけた後、ピンのボディ３２の近位端２８とガイドワイヤ１５０の近位端１５４とを切断するか、または他の方法で取り外すことが好ましい。これらの部材は、臨床環境で日常的に利用されている従来の骨かん子を用いて切断してもよく、前述の定められた切断点を用いて折ってもよい。
【００９２】
工具２００は、固定装置を迅速にかつ便利よく供給し設置することができるように、骨固定装置に取外し可能に連結されるようになっていることが好ましい。工具２００はまた、複数の骨固定装置を供給するために、同様の方法で再使用することもできる。したがって、外科手術中に、一つの工具２００で複数の骨固定装置を供給することができる。実際には、上述した様々な実施形態は、キットとして提供されてもよい。キットは、工具２００と、少なくとも１つの骨固定装置とを備えていることが好ましい。一実施形態では、キットは、工具２００を用いて迅速に供給される複数の骨固定装置を備えている。複数の骨固定装置は、ピン２６と、ガイドワイヤ１５０と、本明細書に記載された他の部材とを備えていてもよい。
【００９３】
本明細書に記載され図示された方法は、上述した行為の順番に厳密に一致する場合に限られず、また、必ずしも上述の行為をすべておこなう場合にも限定されない。本発明の実施形態を実施するうえでは、事象または行為が別の順番で生じ、あるいは全事象の一部だけが生じ、またはいくつかの事象が同時に生じる方法も用いることができる。
【００９４】
本明細書ではいくつかの好ましい実施形態および実施例について説明したが、当業者には、本発明の保護対象は、具体的に開示された実施形態を超えて、他の代替実施形態、および／または、本発明、その自明の修正、およびそれらの均等物の使用にまで拡張されることが理解されよう。したがって、本明細書に開示された本発明の保護対象の範囲は、開示された上述の特定の実施形態によって限定されるべきものではなく、以下の特許請求の範囲を公正に読むことによってのみ決定されるべきものである。
【図面の簡単な説明】
【００９５】
【図１】骨折した骨内に設けられた骨固定装置の概略断面図である。
【図２】本発明によるピンのボディの他の実施形態の側面図である。
【図３】図２のピンのボディの遠位端面図である。
【図４】図２のピンのボディの長手方向断面図である。
【図５】図４に示されている装置の遠位端の拡大詳細図である。
【図６】図２のピンのボディと共に使用される近位アンカーの断面図である。
【図７】図６の近位アンカーの近位端面図である。
【図８】図２のピンのボディと共に使用できるガイドワイヤの側面図である。
【図９】図８のガイドワイヤおよび図２のピンのボディの長手方向断面図である。
【図１０】所望の特徴および利点を有する、骨固定装置の挿入工具の斜視図である。
【図１１】図１０の挿入工具の線１１−１１に沿った断面図である。
【図１１Ａ】図１０の挿入工具の中央部の側方斜視図である。
【図１２】図１０の挿入工具の線１２−１２に沿った断面図である。
【図１３】工具上に配置された骨固定装置を含む図１０の挿入工具の側面図である。
【図１４】第１の位置にある骨固定装置と共に示されている、図１０の挿入工具の線１４−１４に沿った断面図である。
【図１５】第２の位置にある骨固定装置と共に示されている、図１０の挿入工具の線１５−１５に沿った断面図である。
【図１６】図１４の挿入工具の線１６−１６に沿った部分詳細断面図である。
【図１７】図１５の挿入工具の線１７−１７に沿った部分詳細断面図である。
【図１８】骨固定装置が骨折した骨を横切って挿入された状態の、骨固定装置および挿入工具の概略断面図である。
【図１９】骨固定装置が骨折した骨を横切って固定された状態の、骨固定装置および挿入工具の概略断面図である。
【図２０】骨折した骨の第１および第２の骨折片を固定するのに用いられる骨固定装置の概略断面図である。
【図１】
2006519087.tif 000003
【図２】
2006519087.tif 000004
【図３】
2006519087.tif 000005
【図４】
2006519087.tif 000006
【図５】
2006519087.tif 000007
【図６】
2006519087.tif 000008
【図７】
2006519087.tif 000009
【図８】
2006519087.tif 000010
【図９】
2006519087.tif 000011
【図１０】
2006519087.tif 000012
【図１１】
2006519087.tif 000013
【図１１Ａ】
2006519087.tif 000014
【図１２】
2006519087.tif 000015
【図１３】
2006519087.tif 000016
【図１４】
2006519087.tif 000017
【図１５】
2006519087.tif 000018
【図１６】
2006519087.tif 000019
【図１７】
2006519087.tif 000020
【図１８】
2006519087.tif 000021
【図１９】
2006519087.tif 000022
【図２０】
2006519087.tif 000023
【国際調査報告】
2006519087.tif 000024
2006519087.tif 000025